【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
電子写真画像形成装置本体に着脱可能なプロセスカートリッジにおいて、
電子写真感光体ドラムと、
現像剤を収納する現像剤収納部と、
前記現像剤収納部に収納されている現像剤を用いて、前記電子写真感光体ドラムに形成された静電潜像を現像するための現像ローラと、
前記現像ローラに前記現像剤を供給するための現像剤供給ローラと、
前記現像ローラと前記現像剤供給ローラとを支持して、前記現像剤収納部を有する現像枠体と、
前記現像枠体の長手方向一端側に設けられた第一のギアであって、前記プロセスカートリッジが前記画像形成装置本体に装着された際に、前記画像形成装置本体に設けられた本体ギアと係合して駆動力の伝達を受ける駆動力受けギア部を有する第一のギアと、
前記現像枠体の長手方向において、前記駆動力受けギア部よりも内側に設けられた第二のギアであって、前記第一のギアが受けた駆動力を前記現像剤供給ローラへ伝達するための第二のギアと、
前記現像枠体の長手方向において、前記第一のギアと第二のギアとの間に設けられた、前記第二のギアを支持する規制部材であって、前記現像枠体の長手方向一端側に設けられた係止部に係止された規制部材と、
を有することを特徴とするプロセスカートリッジ。
【請求項２】
更に前記プロセスカートリッジは、
前記現像枠体の長手方向において、前記規制部材よりも外側に取り付けられたカバー部材であって、前記規制部材を間に挟んで前記現像枠体に取り付けられたカバー部材を有することを特徴とする請求項１に記載のプロセスカートリッジ。
【請求項３】
前記カバー部材は、前記長手方向において前記第一のギアの一端側を支持することを特徴とする請求項２に記載のプロセスカートリッジ。
【請求項４】
前記長手方向において、前記駆動力受けギア部は、前記第二のギアの回転中心と重なる領域を有することを特徴とする請求項１に記載のプロセスカートリッジ。
【請求項５】
更に前記プロセスカートリッジは、
前記現像枠体の長手方向において、前記駆動力受けギア部よりも内側に設けられた第三のギアであって、前記駆動力を前記現像剤供給ローラへ伝達するための第三のギアを有し、
前記規制部材は、前記長手方向において前記第三のギアの少なくとも一部と重なり、前記第三のギアを支持する第三ギア支持軸の一端側を支持することを特徴とする請求項１に記載のプロセスカートリッジ。
【請求項６】
前記現像枠体は、前記長手方向一端側に軸受け部材を有し、
前記第一のギアと前記第二のギアと前記規制部材とは、前記軸受け部材に設けられていることを特徴とする請求項１に記載のプロセスカートリッジ。
【請求項７】
電子写真感光体ドラムと、現像剤を収納する現像剤収納部と、前記現像剤収納部に収納されている現像剤を用いて、前記電子写真感光体ドラムに形成された静電潜像を現像するための現像ローラと、前記現像ローラに前記現像剤を供給するための現像剤供給ローラと、前記現像ローラと前記現像剤供給ローラとを支持し、前記現像剤収納部を有する現像枠体と、を有する、前記電子写真画像形成装置本体に着脱可能なプロセスカートリッジの組立方法において、
（i）前記現像ローラと、前記現像剤供給ローラとを、前記現像枠体に取り付けるローラ取り付け工程と、
（ii）第二のギアを前記現像枠体に取り付ける第二ギア取り付け工程と、
ここで、前記第二のギアは、前記画像形成装置本体に設けられた本体ギアと係合する第一のギアが受けた駆動力を前記現像剤供給ローラへ伝達するものである、
（iii）前記第二ギア取り付け工程の後に、規制部材によって前記第二のギアを支持するために、前記規制部材を前記現像枠体に取り付ける規制部材取り付け工程であって、前記現像枠体の長手方向一端側に設けられた係止部に前記規制部材を係止させる規制部材取り付け工程と、
ここで、前記規制部材は、前記現像枠体の長手方向において前記第一のギアと第二のギアとの間に設けられて、前記第二のギアを支持するものである、
（iv）前記規制部材取り付け工程の後に、前記第一のギアを前記現像枠体に取り付ける第一ギア取り付け工程と、
を有することを特徴とするプロセスカートリッジの組立方法。
【請求項８】
更に、前記第一ギア取り付け工程の後に、前記現像枠体の長手方向において、前記規制部材を間に挟んで、前記カバー部材を前記現像枠体に取り付けるカバー部材取り付け工程を有することを特徴とする請求項７に記載のプロセスカートリッジの組立方法。
【請求項９】
更に、前記第二ギア取り付け工程の後に、前記第二のギアと係合して前記駆動力を前記現像剤供給ローラへ伝達するための第三のギアを前記現像枠体に取り付ける第三ギア取り付け工程を有することを特徴とする請求項７に記載のプロセスカートリッジの組立方法。
【請求項１０】
前記ローラ取り付け工程は、前記現像枠体が前記長手方向一端側に有する軸受け部材に、前記現像ローラと、前記現像剤供給ローラとを取り付ける工程であり、
前記第二ギア取り付け工程は、前記軸受け部材に前記第二のギアを取り付ける工程であり、
前記規制部材取り付け工程は、前記軸受け部材に前記規制部材を取り付ける工程であり、
前記第一ギア取り付け工程は、前記軸受け部材に前記第一のギアを取り付ける工程であることを特徴とする請求項７に記載のプロセスカートリッジの組立方法。
【手続補正２】
【補正対象書類名】明細書
【補正対象項目名】００１５
【補正方法】変更
【補正の内容】
【００１５】
上記目的は本発明に係るプロセスカートリッジ及びプロセスカートリッジ組立方法にて達成される。要約すれば、第１の本発明によれば、電子写真画像形成装置本体に着脱可能なプロセスカートリッジにおいて、
電子写真感光体ドラムと、
現像剤を収納する現像剤収納部と、
前記現像剤収納部に収納されている現像剤を用いて、前記電子写真感光体ドラムに形成された静電潜像を現像するための現像ローラと、
前記現像ローラに前記現像剤を供給するための現像剤供給ローラと、
前記現像ローラと前記現像剤供給ローラとを支持して、前記現像剤収納部を有する現像枠体と、
前記現像枠体の長手方向一端側に設けられた第一のギアであって、前記プロセスカートリッジが前記画像形成装置本体に装着された際に、前記画像形成装置本体に設けられた本体ギアと係合して駆動力の伝達を受ける駆動力受けギア部を有する第一のギアと、
前記現像枠体の長手方向において、前記駆動力受けギア部よりも内側に設けられた第二のギアであって、前記第一のギアが受けた駆動力を前記現像剤供給ローラへ伝達するための第二のギアと、
前記現像枠体の長手方向において、前記第一のギアと第二のギアとの間に設けられた、前記第二のギアを支持する規制部材であって、前記現像枠体の長手方向一端側に設けられた係止部に係止された規制部材と、
を有することを特徴とするプロセスカートリッジが提供される。
【手続補正３】
【補正対象書類名】明細書
【補正対象項目名】００１６
【補正方法】変更
【補正の内容】
【００１６】
第１の本発明の一実施態様によれば、更に前記プロセスカートリッジは、前記現像枠体の長手方向において、前記規制部材よりも外側に取り付けられたカバー部材であって、前記規制部材を間に挟んで前記現像枠体に取り付けられたカバー部材を有する。
【手続補正４】
【補正対象書類名】明細書
【補正対象項目名】００１７
【補正方法】変更
【補正の内容】
【００１７】
他の実施態様によれば、前記カバー部材は、前記長手方向において前記第一のギアの一端側を支持する。
【手続補正５】
【補正対象書類名】明細書
【補正対象項目名】００１８
【補正方法】変更
【補正の内容】
【００１８】
他の実施態様によれば、前記長手方向において、前記駆動力受けギア部は、前記第二のギアの回転中心と重なる領域を有する。
【手続補正６】
【補正対象書類名】明細書
【補正対象項目名】００１９
【補正方法】変更
【補正の内容】
【００１９】
他の実施態様によれば、更に前記プロセスカートリッジは、前記現像枠体の長手方向において、前記駆動力受けギア部よりも内側に設けられた第三のギアであって、前記駆動力を前記現像剤供給ローラへ伝達するための第三のギアを有し、前記規制部材は、前記長手方向において前記第三のギアの少なくとも一部と重なり、前記第三のギアを支持する第三ギア支持軸の一端側を支持する。
【手続補正７】
【補正対象書類名】明細書
【補正対象項目名】００２０
【補正方法】変更
【補正の内容】
【００２０】
他の実施態様によれば、前記現像枠体は、前記長手方向一端側に軸受け部材を有し、前記第一のギアと前記第二のギアと前記規制部材とは、前記軸受け部材に設けられている。
【手続補正８】
【補正対象書類名】明細書
【補正対象項目名】００２１
【補正方法】変更
【補正の内容】
【００２１】
第２の本発明によれば、電子写真感光体ドラムと、現像剤を収納する現像剤収納部と、前記現像剤収納部に収納されている現像剤を用いて、前記電子写真感光体ドラムに形成された静電潜像を現像するための現像ローラと、前記現像ローラに前記現像剤を供給するための現像剤供給ローラと、前記現像ローラと前記現像剤供給ローラとを支持し、前記現像剤収納部を有する現像枠体と、を有する、前記電子写真画像形成装置本体に着脱可能なプロセスカートリッジの組立方法において、
（i）前記現像ローラと、前記現像剤供給ローラとを、前記現像枠体に取り付けるローラ取り付け工程と、
（ii）第二のギアを前記現像枠体に取り付ける第二ギア取り付け工程と、
ここで、前記第二のギアは、前記画像形成装置本体に設けられた本体ギアと係合する第一のギアが受けた駆動力を前記現像剤供給ローラへ伝達するものである、
（iii）前記第二ギア取り付け工程の後に、規制部材によって前記第二のギアを支持するために、前記規制部材を前記現像枠体に取り付ける規制部材取り付け工程であって、前記現像枠体の長手方向一端側に設けられた係止部に前記規制部材を係止させる規制部材取り付け工程と、
ここで、前記規制部材は、前記現像枠体の長手方向において前記第一のギアと第二のギアとの間に設けられて、前記第二のギアを支持するものである、
（iv）前記規制部材取り付け工程の後に、前記第一のギアを前記現像枠体に取り付ける第一ギア取り付け工程と、
を有することを特徴とするプロセスカートリッジの組立方法が提供される。
【手続補正９】
【補正対象書類名】明細書
【補正対象項目名】００２２
【補正方法】変更
【補正の内容】
【００２２】
第２の本発明の一実施態様によれば、更に、前記第一ギア取り付け工程の後に、前記現像枠体の長手方向において、前記規制部材を間に挟んで、前記カバー部材を前記現像枠体に取り付けるカバー部材取り付け工程を有する。
【手続補正１０】
【補正対象書類名】明細書
【補正対象項目名】００２３
【補正方法】変更
【補正の内容】
【００２３】
他の実施態様によれば、更に、前記第二ギア取り付け工程の後に、前記第二のギアと係合して前記駆動力を前記現像剤供給ローラへ伝達するための第三のギアを前記現像枠体に取り付ける第三ギア取り付け工程を有する。
【手続補正１１】
【補正対象書類名】明細書
【補正対象項目名】００２４
【補正方法】変更
【補正の内容】
【００２４】
他の実施態様によれば、前記ローラ取り付け工程は、前記現像枠体が前記長手方向一端側に有する軸受け部材に、前記現像ローラと、前記現像剤供給ローラとを取り付ける工程であり、前記第二ギア取り付け工程は、前記軸受け部材に前記第二のギアを取り付ける工程であり、記規制部材取り付け工程は、前記軸受け部材に前記規制部材を取り付ける工程であり、前記第一ギア取り付け工程は、前記軸受け部材に前記第一のギアを取り付ける工程である。
【手続補正１２】
【補正対象書類名】明細書
【補正対象項目名】００２９
【補正方法】変更
【補正の内容】
【００２９】
図２をも参照するとより良く理解されるように、各プロセスカートリッジ２０（２０Ｙ、２０Ｍ、２０Ｃ、２０Ｋ）は、一定速度で回転する像担持体としての電子写真感光体（以下、「感光体ドラム」という。）２１（２１Ｙ、２１Ｍ、２１Ｃ、２１Ｋ）、帯電手段２２（２２Ｙ、２２Ｍ、２２Ｃ、２２Ｋ）、現像手段２５（２５Ｙ、２５Ｍ、２５Ｃ、２５Ｋ）、及びクリーニング手段２４（２４Ｙ、２４Ｍ、２４Ｃ、２４Ｋ）、を備え、トナー像を形成する。なお、露光手段５０は、装置本体Ｂに設けられている。又、中間転写体ユニット４０は、保持したカラー画像を、転写位置へと搬送し、給送部１から給送された転写材Ｐに更に転写する。
【手続補正１３】
【補正対象書類名】明細書
【補正対象項目名】００３７
【補正方法】変更
【補正の内容】
【００３７】
プロセスカートリッジ２０は、電子写真感光体ドラム２１、帯電手段２２及びクリーニング手段２４を備えた感光体ドラムユニット２０Ａと、感光体ドラム２１上の静電潜像を現像する現像手段２５を有する現像ユニット２０Ｂとに分かれている。